(57)【要約】【課題】表出した情報を見にくくすることなく、シート上に付与された隠蔽情報を確実に隠蔽することができながらも、一部の領域を分離して他の領域に貼着して利用する。【解決手段】宛先情報を印字するための宛先情報印字領域１３が一方の面に設けられ、他方の面に粘着剤３０ａが塗布された宛先情報記載片１０と、粘着剤３０ａによって宛先情報記載片１０が貼着された隠蔽情報記載片２０とを折り畳んで隠蔽情報記載片２０の第往信部２１ａと返信部２１ｂとを剥離可能に貼着した場合に、隠蔽情報記載片２０に印字された明細情報が、隠蔽情報記載片２０に設けられた遮光印刷層２３に挟まれるような構成とするとともに、互いに貼着された宛先情報記載片１０と隠蔽情報記載片２０とを往信部１１ａにて剥離可能とし、この往信部１１ａに宛名ラベル１４を分離可能に区画形成する。【選択図】図１
2008055682.tif 000002
【特許請求の範囲】
【請求項１】
一方の面に粘着剤が塗布された第１のシートと、前記粘着剤によって前記第１のシートに貼着された第２のシートとを有し、前記第１及び第２のシートはそれぞれ、第１紙片部と第２紙片部とが折り畳み可能に連接して構成され、前記第１紙片部どうし及び前記第２紙片部どうしが重ね合わされて前記粘着剤によって前記第１のシートと前記第２のシートとが貼着され、前記第２のシートが内側となるように折り畳むことによって前記第２のシートに付与された隠蔽情報を隠蔽する隠蔽シートであって、
前記第１のシートは、折り畳み状態外側となる面のうち前記第１紙片部に、表示情報が付与される表示情報付与領域が設けられるとともに、前記第１紙片部と前記第２紙片部のいずれか一方に当該第１のシートから分離可能な分離領域が区画形成され、
前記第２のシートは、折り畳み状態内側となる面に、前記隠蔽情報が付与される隠蔽情報付与領域が設けられるとともに、貼着後の剥離が可能な接着構造を有し、
前記第２紙片部において前記第２のシートの折り畳み状態内側となる面よりも折り畳み状態外側に設けられ、前記第１のシートの前記第２紙片部側から前記第１及び第２のシートを透かしての前記隠蔽情報の判読を不可能とする第１の隠蔽構造と、
前記第１紙片部において前記第２のシートの折り畳み状態内側となる面と前記第１のシートの前記表示情報付与領域が設けられた面との間に設けられ、前記表示情報付与領域が設けられた面側から前記第１及び第２のシートを透かしての前記隠蔽情報の判読を不可能とする第２の隠蔽構造とを有し、
前記第１のシートと前記第２のシートとは、前記第１紙片部と前記第２紙片部のうち前記第１のシートに前記分離領域が区画形成された紙片部において互いに剥離可能である隠蔽シート。
【発明の詳細な説明】
【技術分野】
【０００１】
本発明は、シート上に付与された情報を隠蔽する隠蔽シートに関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を伝達するはがきにおいては、表面に宛先情報が記載されるとともにその裏面に隠蔽情報が記載されたはがき片と、一方の面に地紋が印刷された隠蔽片とが折り畳み可能に連接し、このはがき片と隠蔽片とが剥離可能に貼着される情報隠蔽はがきが考えられている（例えば、特許文献１参照。）。この情報隠蔽はがきにおいては、はがき片の隠蔽情報が記載された面が内側となるように折り畳まれてはがき片と隠蔽片とが剥離可能に貼着されることにより、はがき片に記載された隠蔽情報が隠蔽され、さらに、隠蔽片に印刷された地紋によって隠蔽情報を透かして見ることを困難としている。
【０００４】
また、往信はがきと返信はがきとが連接された往復はがきにおいて、往信時の隠蔽情報と返信時の隠蔽情報とをそれぞれ隠蔽可能とした往復はがきが考えられている（例えば、特許文献２参照。）。このような往復はがきにおいては、２つの紙片が剥離可能に貼着されることにより往信時の隠蔽情報が隠蔽され、１つの紙片に剥離可能に貼着されたラベルを剥離して返信はがきに貼着することにより返信時の隠蔽情報が隠蔽されることになる。
【特許文献１】特開平１０−２６４５５９号公報
【特許文献２】特開２００６−１５９７４９号公報
【発明の開示】
【発明が解決しようとする課題】
【０００５】
しかしながら、上述したようにはがき片と隠蔽片とが折り畳み可能に連接した情報隠蔽はがきにおいては、隠蔽片が剥離可能に貼着された面側からは、隠蔽情報は地紋によって透かして見ることが困難となるものの、はがき片側からは隠蔽情報が透かして見られてしまう虞れがあり、隠蔽情報を確実に隠蔽できるとは言いがたい。そこで、はがき片と隠蔽片とが折り畳まれた場合に地紋に隠蔽情報が挟まれるように地紋を印刷することが考えられるが、その場合、はがき片の宛先情報が記載された面に地紋を印刷することになり、宛先情報が見にくくなって好ましくない。
【０００６】
また、１つの紙片に貼着されたラベルを返信はがきに貼着することにより返信時の隠蔽情報を隠蔽する等といった、１つの紙片に貼着されたラベルを返信はがきに貼着して用いるものにおいては、そのラベルが宛先情報が記載された面に剥離可能に貼着されている場合、ラベルには用途に応じた情報が記載されているため、宛先情報が記載された面に上述した地紋のような隠蔽構造を設けることは難しく、上記同様に隠蔽情報を確実に隠蔽できるとは言いがたい。また、ラベルが返信時の隠蔽情報を隠蔽するものである場合は、ラベルに地紋のような隠蔽構造が設けられることになるが、このラベルが返信はがきに貼着された場合に、上記同様に、ラベルが貼着された面側からは、返信時の隠蔽情報はラベルの隠蔽構造によって透かして見ることが困難となるものの、返信はがき側からは隠蔽情報が透かして見られてしまう虞れがあり、隠蔽情報を確実に隠蔽できるとは言いがたい。
【０００７】
本発明は、上述したような従来の技術が有する問題点に鑑みてなされたものであって、表出した情報を見にくくすることなく、シート上に付与された隠蔽情報を確実に隠蔽することができながらも、一部の領域を分離して他の領域に貼着して利用できる隠蔽シートを提供することを目的とする。
【課題を解決するための手段】
【０００８】
上記目的を達成するために本発明は、
一方の面に粘着剤が塗布された第１のシートと、前記粘着剤によって前記第１のシートに貼着された第２のシートとを有し、前記第１及び第２のシートはそれぞれ、第１紙片部と第２紙片部とが折り畳み可能に連接して構成され、前記第１紙片部どうし及び前記第２紙片部どうしが重ね合わされて前記粘着剤によって前記第１のシートと前記第２のシートとが貼着され、前記第２のシートが内側となるように折り畳むことによって前記第２のシートに付与された隠蔽情報を隠蔽する隠蔽シートであって、
前記第１のシートは、折り畳み状態外側となる面のうち前記第１紙片部に、表示情報が付与される表示情報付与領域が設けられるとともに、前記第１紙片部と前記第２紙片部のいずれか一方に当該第１のシートから分離可能な分離領域が区画形成され、
前記第２のシートは、折り畳み状態内側となる面に、前記隠蔽情報が付与される隠蔽情報付与領域が設けられるとともに、貼着後の剥離が可能な接着構造を有し、
前記第２紙片部において前記第２のシートの折り畳み状態内側となる面よりも折り畳み状態外側に設けられ、前記第１のシートの前記第２紙片部側から前記第１及び第２のシートを透かしての前記隠蔽情報の判読を不可能とする第１の隠蔽構造と、
前記第１紙片部において前記第２のシートの折り畳み状態内側となる面と前記第１のシートの前記表示情報付与領域が設けられた面との間に設けられ、前記表示情報付与領域が設けられた面側から前記第１及び第２のシートを透かしての前記隠蔽情報の判読を不可能とする第２の隠蔽構造とを有し、
前記第１のシートと前記第２のシートとは、前記第１紙片部と前記第２紙片部のうち前記第１のシートに前記分離領域が区画形成された紙片部において互いに剥離可能である。
【０００９】
上記のように構成された本発明においては、第１のシートの表示情報付与領域に表示情報が付与されるとともに、第２のシートの隠蔽情報付与領域に隠蔽情報が付与された後、隠蔽情報付与領域が設けられた面が内側となるように第１及び第２のシートが折り畳まれ、第２のシートに設けられた接着構造によって第１紙片部と第２紙片部とが剥離可能に貼着される。すると、第１のシートの表示情報付与領域に付与された表示情報が表出するとともに、第２のシートの隠蔽情報付与領域に付与された隠蔽情報が第１のシートと第２のシートによって隠蔽された状態となる。この際、第２紙片部においては、第２のシートの折り畳み状態内側となる面よりも折り畳み状態外側に第１の隠蔽構造が設けられているため、第１のシートの第２紙片部側から透かされた場合であっても、この第１の隠蔽構造によって第２のシートの隠蔽情報付与領域に付与された隠蔽情報が透かして判読されることが防止される。また、第１のシートの第１紙片部側から透かされた場合は、第２のシートの折り畳み状態内側となる面と第１のシートの表示情報付与領域が設けられた面との間に設けられた第２の隠蔽構造によって第２のシートの隠蔽情報付与領域に付与された隠蔽情報が第１及び第２のシートを透かして判読されることが防止されることになる。その際、第１のシートの表示情報付与領域が設けられた面には、隠蔽情報付与領域に付与された隠蔽情報を隠蔽するための隠蔽構造が設けられていないため、表示情報付与領域に付与された表示情報が見にくくなることがない。そして、第１のシートに区画形成された分離領域が第１のシートから分離され、第１のシートの一方の面に塗布された粘着剤によってこの分離領域が他の領域に貼着されて利用されることになる。
【発明の効果】
【００１０】
以上説明したように本発明においては、第１紙片部において第２のシートの折り畳み状態内側となる面と第１のシートの表示情報付与領域が設けられた面との間に設けられた第２の隠蔽構造によって、第１のシートの第１紙片部側から透かされた場合であっても、第１のシートの表示情報付与領域に付与された表示情報を見にくくすることなく、第２のシートの隠蔽情報付与領域に付与された隠蔽情報を隠蔽することができ、また、第１のシートの第２紙片部側から透かされた場合であっても、第２紙片部において第２のシートの折り畳み状態内側となる面よりも折り畳み状態外側に設けられた第１の隠蔽構造によって隠蔽情報を隠蔽することができる。また、第１のシートの第１紙片部と第２紙片部のいずれか一方に分離領域が区画形成され、第１のシートと第２のシートとがその紙片部において互いに剥離可能であるため、分離領域を第１のシートから分離し、第１のシートの一方の面に塗布された粘着剤によって他の領域に貼着して利用することができる。
【発明を実施するための最良の形態】
【００１１】
以下に、本発明の実施の形態について図面を参照して説明する。
【００１２】
（第１の実施の形態）
図１は、本発明の隠蔽シートの第１の実施の形態となる往復はがきを示す図であり、（ａ）は積層構造を示す図、（ｂ）は（ａ）に示したＡ−Ａ’断面図である。図２は、図１に示した宛先情報記載片１０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。図３は、図１に示した隠蔽情報記載片２０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【００１３】
本形態は図１に示すように、第１のシートである宛先情報記載片１０と、第２のシートである隠蔽情報記載片２０とが、宛先情報記載片１０の一方の面に塗布された粘着剤３０ａによって互いに貼着されて構成されている。粘着剤３０ａは、宛先情報記載片１０と隠蔽情報記載片２０とを貼着した後に人手によって剥離しようとした場合に、宛先情報記載片１０や隠蔽情報記載片２０に紙むけ等が生じる程度に強い粘着力を有するものである。
【００１４】
宛先情報記載片１０は図１及び図２に示すように、第１紙片部である往信部１１ａと第２紙片部である返信部１１ｂとがミシン目１２を介して折り畳み及び切り離し可能に連接して構成されており、折り畳み状態内側となる面の全面に粘着剤３０ａが塗布されている。宛先情報記載片１０の往信部１１ａには、スリット１４ａによって宛先情報記載片１０から分離可能な分離領域となる宛名ラベル１４が区画形成されており、その往信部１１ａの折り畳み状態外側となる面の宛先ラベル１４以外の領域には、この往復はがきの送付先の住所や氏名等を示す表示情報となる宛先情報を印字するため表示情報付与領域である宛先情報印字領域１３が設けられている。また、宛先情報記載片１０の返信部１１ｂの折り畳み状態外側となる面には、この往復はがきを返信する場合に返信先に通知する返信情報を記入するための返信情報記入領域１５が設けられている。
【００１５】
隠蔽情報記載片２０は図１及び図３に示すように、第１紙片部である往信部２１ａと第２紙片部である返信部２１ｂとがミシン目２２を介して折り畳み及び切り離し可能に連接して構成されており、折り畳み状態外側となる面には、外周を除く全面に隠蔽構造となる遮光印刷層２３が形成されている。遮光印刷層２３は、例えば、カーボンブラック等の遮光性を有する黒色系塗料が隠蔽情報記載片２０上に塗工されることにより形成することが考えられる。また、黒色系塗料ではなく濃色の塗料を塗工することにより遮光印刷層２３を形成してもよく、その塗料の塗工の方法は、版に塗料を付けて行う一般的な印刷や、スクリーン印刷等、適宜の方法を用いて行うことが考えられる。この遮光印刷層２３のうち、往信部２１ａに形成された部分が第２の隠蔽構造となり、返信部２１ｂに形成された部分が第１の隠蔽構造となる。この折り畳み状態外側となる面のうち往信部２１ａには、その全面に遮光印刷層２３を覆ってニスやシリコンからなる剥離剤４０が塗布されている。また、折り畳み状態内側となる面の全面には、圧力により自己のみが貼着可能な自己貼着性を有する粘着剤３０ｂが塗布され、ミシン目２２を介して折り畳んで加圧することにより往信部２１ａと返信部２１ｂとが互いに剥離可能に貼着される接着構造が形成されている。そして、この折り畳み状態内側となる面のうち往信部２１ａには、この往復はがきの送付先に隠蔽状態にて通知する隠蔽情報となる明細情報を印字するための隠蔽情報付与領域となる明細情報印字領域２５が設けられ、折り畳み状態内側となる面のうち返信部２１ｂには、宛先情報記載片１０に区画形成された宛名ラベル１４を貼着するための宛名ラベル貼着領域２４が設けられている。
【００１６】
このように構成された宛先情報記載片１０と隠蔽情報記載片２０とは、往信部１１ａ，２１ａどうし、返信部１１ｂ，２１ｂどうしがそれぞれ互いに重ね合わされるように粘着剤３０ａによって貼着される。すなわち、往信部１１ａ，２１ａにおいては宛先情報記載片１０と隠蔽情報記載片２０とが、粘着剤３０ａ及び剥離剤４０によって互いに剥離可能に貼着され、返信部１１ｂ，２１ｂにおいては宛先情報記載片１０と隠蔽情報記載片２０とが、粘着剤３０ａによって人手では剥離することが困難に貼着されている。それにより、第１の隠蔽構造が、返信部１１ｂ，２１ｂにおいて隠蔽情報記載片２０の折り畳み状態内側となる面よりも折り畳み状態外側に設けられ、また、第２の隠蔽構造が、往信部１１ａ，２１ａにおいて隠蔽情報記載片２０の折り畳み状態内側となる面と宛先情報記載片１０の宛先情報印字領域１３が設けられた面との間に設けられていることになる。
【００１７】
以下に、上記のように構成された往復はがきの作製方法について説明する。
【００１８】
まず、宛先情報記載片１０に対して、往復はがきの送付先によらずに共通の情報のプレ印刷を施し、往信部１１ａの一方の面に、料金別納を示す情報等を印刷して往復はがきの送付先の住所や氏名等を示す宛先情報を印字するため宛先情報印字領域１３を設けるとともに、宛名ラベル１４にこの往復はがきの返信先の住所や氏名等を示す宛先情報を印字する。また、返信部１１ｂの一方の面にもプレ印刷を施すことにより返信情報記入領域１５を設ける。またこの際、往信部１１ａの宛先情報印字領域１３が設けられた面とは反対側の面のうち、宛名ラベル１４以外の領域に広告情報等を印字することも考えられる。
【００１９】
また、隠蔽情報記載片２０については、一方の面に、上述したような遮光性を有する塗料を塗工することにより遮光印刷層２３を形成し、また、他方の面については、往信部２１ａに、枠情報等のプレ印刷を施すことにより、往復はがきの送付先に隠蔽状態にて通知する明細情報を印字するための明細情報印字領域２５を設けるとともに、返信部２１ｂに、料金別納を示す情報等のプレ印刷を施すことにより、宛名ラベル１４を貼着するための宛名ラベル貼着領域２４を形成する。
【００２０】
次に、宛先情報記載片１０の、宛先情報印字領域１３及び返信情報記入領域１５が設けられていない面の全面に粘着剤３０ａを塗布し、また、隠蔽情報記載片２０については、明細情報印字領域２５及び宛名ラベル貼着領域２４が設けられた面の全面に粘着剤３０ｂと塗布するとともに、往信部２１ａの遮光印刷層２３が形成された面の全面に、遮光印刷層２３を覆って剥離剤４０を塗布する。なお、粘着剤３０ｂの塗布においては、隠蔽情報記載片２０に明細情報印字領域２５及び宛名ラベル貼着領域２４を設ける前に行ってもよい。
【００２１】
次に、宛先情報記載片１０と隠蔽情報記載片２０とを、宛先情報記載片１０の粘着剤３０ａが塗布された面と隠蔽情報記載片２０の遮光印刷層２３が形成された面とが対向するように重ね合わせ、粘着剤３０ａによって宛先情報記載片１０と隠蔽情報記載片２０とを貼着する。
【００２２】
その後、宛先情報記載片１０の往信部１１ａにスリット１４ａを形成して宛先情報記載片１０に宛名ラベル１４を区画形成し、図１に示した往復はがきを作製する。
【００２３】
以下に、上述した往復はがきの使用方法について説明する。
【００２４】
まず、宛先情報記載片１０の宛先情報印字領域１３に、往復はがきの送付先の住所や氏名等を示す宛先情報を印字するとともに、隠蔽情報記載片２０の明細情報印字領域２５に、往復はがきの送付先に隠蔽状態にて通知する明細情報を印字する。なお、隠蔽情報記載片２０の明細情報印字領域２５においては、粘着剤３０ｂが塗布されているが、粘着剤３０ｂは隠蔽情報記載片２０に塗布された後でも隠蔽情報記載片２０に対して筆記性を持たせることができるものであるため、隠蔽情報記載片２０の明細情報印字領域２５に明細情報を印字することができる。このように、往復はがきの送付先毎に異なる宛先情報と明細情報とを同一工程にて印字することにより、宛先情報と明細情報とのマッチングミスが生じることを回避することができる。また、隠蔽情報記載片２０に塗布された粘着剤３０ｂは、上述したように自己のみが貼着可能な自己貼着性を有するものであるため、隠蔽情報記載片２０に粘着剤３０ｂが塗布された後に隠蔽情報記載片２０の往信部２１ａと返信部２１ｂとが貼着される前の状態において、表面がべたついたり、他の物品等と接触してもそれと貼着されてしまったりすることがない。
【００２５】
次に、粘着剤３０ａによって互いに貼着された宛先情報記載片１０と隠蔽情報記載片２０を、隠蔽情報記載片２０の明細情報印字領域２５及び宛名ラベル貼着領域２４が設けられて粘着剤３０ｂが塗布された面が内側となるようにミシン目１２，２２を介して折り畳み、加圧することにより、隠蔽情報記載片２０の往信部２１ａと返信部２１ｂとを貼着する。
【００２６】
このように隠蔽情報記載片２０の往信部２１ａと返信部２１ｂとが貼着された状態で往復はがきが送付先に送付されることになる。
【００２７】
図４は、図１〜図３に示した往復はがきの送付時の状態を示す図であり、（ａ）は宛先情報記載片１０の往信部１１ａ側から見た図、（ｂ）は宛先情報記載片１０の返信部１１ｂ側から見た図、（ｃ）は（ａ）に示したＡ−Ａ’断面図である。
【００２８】
上述した往復はがきは、送付先への送付時においては、隠蔽情報記載片２０の明細情報印字領域２５及び宛名ラベル貼着領域２４が設けられた面が内側となるように宛先情報記載片１０と隠蔽情報記載片２０がミシン目１２，２２を介して折り畳まれ、隠蔽情報記載片２０の往信部２１ａと返信部２１ｂとが貼着された状態となっている。
【００２９】
そのため、図４（ａ）に示すように、往復はがきの一方の面側においては、宛先情報記載片１０の往信部１１ａのみが表出し、それにより、宛先情報記載片１０の宛先情報印字領域１３に印字された宛先情報１３ａが外部から視認可能となっており、この宛先情報１３ａに従って往復はがきが送付先に送付されることになる。この際、図４（ｃ）に示すように、表出した宛先情報記載片１０の往信部１１ａと明細情報が印字された隠蔽情報記載片２０との間に遮光印刷層２３が介在しているため、宛先情報記載片１０の往信部１１ａ側から透かして見られた場合であっても、宛先情報記載片１０の往信部１１ａとは反対側、すなわち宛先情報記載片１０の返信部１１ｂ側からの光が遮光印刷層２３によって遮られ、隠蔽情報記載片２０の明細情報印字領域２５に印字された明細情報が透かして見られてしまうことがない。また、宛先情報記載片１０の宛先情報１３ａが印字された面には、隠蔽情報記載片２０の明細情報印字領域２５に印字された明細情報が宛先情報記載片１０及び隠蔽情報記載片２０を透かして判読されてしまうことを不可能とするための地紋等が印刷されていないため、宛先情報１３ａが見にくくなってしまうことがない。
【００３０】
また、図４（ｂ）に示すように、往復はがきの他方の面側においては、宛先情報記載片１０の返信部１１ｂのみが表出する。この際、図４（ｃ）に示すように、表出した宛先情報記載片１０の返信部１１ｂと明細情報が印字された隠蔽情報記載片２０との間に遮光印刷層２３が介在しているため、宛先情報記載片１０の返信部１１ｂ側から透かして見られた場合であっても、宛先情報記載片１０の返信部１１ｂとは反対側、すなわち宛先情報記載片１０の往信部１１ａ側からの光が遮光印刷層２３によって遮られ、隠蔽情報記載片２０の明細情報印字領域２５に印字された明細情報が透かして見られてしまうことがない。
【００３１】
このように、図１〜図３に示した往復はがきにおいては、隠蔽情報記載片２０の往信部２１ａと返信部２１ｂとが貼着された状態で送付されることにより、送付時においては、隠蔽情報記載片２０の明細情報印字領域２５に印字された明細情報が隠蔽され、さらに、明細情報印字領域２５に印字された明細情報が遮光印刷層２３によって挟まれた状態となっていることにより、この明細情報が透かして見られてしまうことがない。また、遮光印刷層２３が隠蔽情報記載片２０に設けられているため、宛先情報記載片１０側から見た場合に宛先情報記載片１０が黒ずみにくくなり、それによって宛先情報印字領域１３に印字された宛先情報１３ａが見にくくなってしまうことが回避される。このことは、遮光印刷層２３をスクリーン印刷によって形成した場合も同様の効果として得ることができる。
【００３２】
送付先に届けられた往復はがきは、隠蔽情報記載片２０の往信部２１ａと返信部２１ｂとが剥離されて見開かれることになる。
【００３３】
図５は、図１〜図３に示した往復はがきが見開かれた状態における見開き面を示す図である。
【００３４】
上述した往復はがきが送付先に届けられると、隠蔽情報記載片２０の往信部２１ａと返信部２１ｂとが剥離される。隠蔽情報記載片２０の往信部２１ａと返信部２１ｂとを貼着している粘着剤３０ｂは、上述したように貼着後の剥離が可能なものであるため、互いに貼着された往信部２１ａと返信部２１ｂとを剥離することができる。
【００３５】
すると、図５に示すように、隠蔽情報記載片２０の明細情報印字領域２５に印字された明細情報２５ａが視認可能となり、往復はがきの送付先において、明細情報２５ａが確認されることになる。また、この際、隠蔽情報記載片２０の返信部２１ｂに設けられた宛名ラベル貼着領域２４が表出する。
【００３６】
その後、往復はがきが送付先から返信されることになる。
【００３７】
図６は、図１〜図３に示した往復はがきの返信時の状態を示す図であり、（ａ）は宛名ラベル１４が宛先情報記載片１０から分離される様子を示す図、（ｂ）は宛先情報記載片１０から分離された宛先ラベル１４が隠蔽情報記載片２０の宛名ラベル貼着領域２４に貼着された状態を示す図である。
【００３８】
往復はがきの送信先においては、届けられた往復はがきを返信する場合、まず、図６（ａ）に示すように、返信部１１ｂの返信情報記入領域１５に往復はがきの送付元に通知する返信情報１５ａを記入するとともに、宛名ラベル１４を往信部１１ａから分離する。宛先情報記載片１０の往信部１１ａは、隠蔽情報記載片２０の往信部２１ａに粘着剤３０ａ及び剥離剤４０によって剥離可能に貼着されているため、宛名ラベル１４はスリット１４ａによって宛先情報記載片１０の往信部１１ａから分離すると、隠蔽情報記載片２０の往信部２１ａから剥離することができる。またこの際、往信部１１ａの宛先情報印字領域１３が設けられた面とは反対側の面のうち、宛名ラベル１４以外の領域に広告情報等が印字されている場合は、２つの往信部１１ａ，２１ａを互いに剥離すればその情報を見ることができる。
【００３９】
そして、往信部１１ａ，２１ａと返信部１１ｂ，２１ｂとをミシン目１２，２２によって切り離し、図６（ｂ）に示すように、往信部１１ａ，２１ａから分離した宛名ラベル１４を、返信部２１ｂの宛名ラベル貼着領域２４に貼着する。宛先情報記載片１０の隠蔽情報記載片２０との貼着面には粘着剤３０ａが塗布されているため、この粘着剤３０ａによって宛名ラベル１４を返信部２１ｂの宛名ラベル貼着領域２４に貼着することができる。
【００４０】
宛名ラベル１４が貼着された返信部１１ｂ，２１ｂは、宛名ラベル１４に記載された宛先情報に従って返信されることになる。
【００４１】
なお、本形態においては、宛先ラベル１４をスリット１４ａによって宛先情報記載片１０から分離可能としているが、ミシン目によって分離可能な構成とすることも考えられる。その場合、宛先情報記載片１０と隠蔽情報記載片２０とを粘着剤３０ａによって貼着する前にミシン目を形成して宛先ラベル１４を宛先情報記載片１０から分離可能なものとすることができる。
【００４２】
（第２の実施の形態）
図７は、本発明の隠蔽シートの第２の実施の形態となる往復はがきを示す図であり、（ａ）は積層構造を示す図、（ｂ）は（ａ）に示したＡ−Ａ’断面図である。図８は、図７に示した宛先情報記載片１１０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。図９は、図７に示した隠蔽情報記載片１２０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【００４３】
本形態は図７に示すように、第１のシートである宛先情報記載片１１０と、第２のシートである隠蔽情報記載片１２０とが、宛先情報記載片１１０の一方の面に塗布された粘着剤１３０ａによって互いに貼着されて構成されている。粘着剤１３０ａは、宛先情報記載片１１０と隠蔽情報記載片１２０とを貼着した後に人手によって剥離しようとした場合に、宛先情報記載片１１０や隠蔽情報記載片１２０に紙むけ等が生じる程度に強い粘着力を有するものである。
【００４４】
宛先情報記載片１１０は図７及び図８に示すように、第１紙片部である往信部１１１ａと第２紙片部である返信部１１１ｂとがミシン目１１２を介して折り畳み及び切り離し可能に連接して構成されており、折り畳み状態内側となる面には、外周を除く全面に隠蔽構造となる遮光印刷層１１６が形成されるとともに、その全面にこの遮光印刷層１１６を覆って粘着剤１３０ａが塗布されている。遮光印刷層１１６は、第１の実施の形態に示したものと同様のものが用いられる。この遮光印刷層１１６のうち、往信部１１１ａに形成された部分が第２の隠蔽構造となり、返信部１１１ｂに形成された部分が第１の隠蔽構造となる。宛先情報記載片１１０の往信部１１１ａには、スリット１１４ａによって宛先情報記載片１１０から分離可能な分離領域となる隠蔽ラベル１１４が区画形成されており、その往信部１１１ａの折り畳み状態外側となる面の隠蔽ラベル１１４以外の領域には、この往復はがきの送付先の住所や氏名等を示す表示情報となる宛先情報を印字するため表示情報付与領域である宛先情報印字領域１１３が設けられている。また、宛先情報記載片１１０の返信部１１１ｂの折り畳み状態外側となる面には、この往復はがきを返信する場合に返信先に通知する返信情報を記入するための返信情報記入領域１１５が設けられている。
【００４５】
隠蔽情報記載片１２０は図７及び図９に示すように、第１紙片部である往信部１２１ａと第２紙片部である返信部１２１ｂとがミシン目１２２を介して折り畳み及び切り離し可能に連接して構成されており、折り畳み状態外側となる面のうち往信部１２１ａには、その全面にニスやシリコンからなる剥離剤１４０が塗布されている。また、折り畳み状態内側となる面の全面には、圧力により自己のみが貼着可能な自己貼着性を有する粘着剤１３０ｂが塗布され、ミシン目１２２を介して折り畳んで加圧することにより往信部１２１ａと返信部１２１ｂとが互いに剥離可能に貼着される接着構造が形成されている。そして、この折り畳み状態内側となる面のうち往信部１２１ａには、この往復はがきの送付先に隠蔽状態にて通知する隠蔽情報となる明細情報を印字するための隠蔽情報付与領域となる明細情報印字領域１２５が設けられ、折り畳み状態内側となる面のうち返信部１２１ｂには、この往復はがきの返信先の住所や氏名等の返信先情報１２４が記載されている。
【００４６】
このように構成された宛先情報記載片１１０と隠蔽情報記載片１２０とは、往信部１１１ａ，１２１ａどうし、返信部１１１ｂ，１２１ｂどうしがそれぞれ互いに重ね合わされるように粘着剤１３０ａによって貼着される。すなわち、往信部１１１ａ，１２１ａにおいては宛先情報記載片１１０と隠蔽情報記載片１２０とが、粘着剤１３０ａ及び剥離剤１４０によって互いに剥離可能に貼着され、返信部１１１ｂ，１２１ｂにおいては宛先情報記載片１１０と隠蔽情報記載片１２０とが、粘着剤１３０ａによって人手では剥離することが困難に貼着されている。それにより、第１の隠蔽構造が、返信部１１１ｂ，１２１ｂにおいて隠蔽情報記載片１２０の折り畳み状態内側となる面よりも折り畳み状態外側に設けられ、また、第２の隠蔽構造が、往信部１１１ａ，１２１ａにおいて隠蔽情報記載片１２０の折り畳み状態内側となる面と宛先情報記載片１１０の宛先情報印字領域１１３が設けられた面との間に設けられていることになる。
【００４７】
以下に、上記のように構成された往復はがきの作製方法について説明する。
【００４８】
まず、宛先情報記載片１１０の一方の面に対して、往復はがきの送付先によらずに共通の情報のプレ印刷を施し、往信部１１１ａに、料金別納を示す情報等を印刷して往復はがきの送付先の住所や氏名等を示す宛先情報を印字するため宛先情報印字領域１１３を設けるとともに、返信部１１１ｂに返信情報記入領域１１５を設ける。また、他方の面に、上述したような遮光性を有する塗料を塗工することにより遮光印刷層１１６を形成する。
【００４９】
また、隠蔽情報記載片１２０の一方の面に対して、往信部１２１ａに、枠情報等のプレ印刷を施すことにより、往復はがきの送付先に隠蔽状態にて通知する明細情報を印字するための明細情報印字領域１２５を設けるとともに、返信部１２１ｂに、この往復はがきの返信先の住所や氏名等の返信先情報１２４を印刷する。またこの際、往信部１２１ａの明細情報印字領域１２５が設けられた面とは反対側の面に広告情報等を印字することも考えられる。
【００５０】
次に、宛先情報記載片１１０の遮光印刷層１１６が形成された面の全面に粘着剤１３０ａを塗布し、また、隠蔽情報記載片１２０については、明細情報印字領域１２５が設けられるとともに返信先情報１２４が印刷された面の全面に粘着剤１３０ｂを塗布するとともに、往信部１２１ａのそれとは反対側の面の全面に剥離剤１４０を塗布する。なお、粘着剤１３０ｂの塗布においては、隠蔽情報記載片１２０に明細情報印字領域１２５を設けたり返信先情報１２４を印刷したりする前に行ってもよい。
【００５１】
次に、宛先情報記載片１１０と隠蔽情報記載片１２０とを、宛先情報記載片１１０の粘着剤１３０ａが塗布された面と隠蔽情報記載片１２０の剥離剤１４０が塗布された面とが対向するように重ね合わせ、粘着剤１３０ａによって宛先情報記載片１１０と隠蔽情報記載片１２０とを貼着する。
【００５２】
その後、宛先情報記載片１１０の往信部１１１ａにスリット１１４ａを形成して宛先情報記載片１１０に隠蔽ラベル１１４を区画形成し、図７に示した往復はがきを作製する。
【００５３】
以下に、上述した往復はがきの使用方法について説明する。
【００５４】
まず、宛先情報記載片１１０の宛先情報印字領域１１３に、往復はがきの送付先の住所や氏名等を示す宛先情報を印字するとともに、隠蔽情報記載片１２０の明細情報印字領域１２５に、往復はがきの送付先に隠蔽状態にて通知する明細情報を印字する。なお、隠蔽情報記載片１２０の明細情報印字領域１２５においては、粘着剤１３０ｂが塗布されているが、粘着剤１３０ｂは隠蔽情報記載片１２０に塗布された後でも隠蔽情報記載片１２０に対して筆記性を持たせることができるものであるため、隠蔽情報記載片１２０の明細情報印字領域１２５に明細情報を印字することができる。このように、往復はがきの送付先毎に異なる宛先情報と明細情報とを同一工程にて印字することにより、宛先情報と明細情報とのマッチングミスが生じることを回避することができる。また、隠蔽情報記載片１２０に塗布された粘着剤１３０ｂは、上述したように自己のみが貼着可能な自己貼着性を有するものであるため、隠蔽情報記載片１２０に粘着剤１３０ｂが塗布された後に隠蔽情報記載片１２０の往信部１２１ａと返信部１２１ｂとが貼着される前の状態において、表面がべたついたり、他の物品等と接触してもそれと貼着されてしまったりすることがない。
【００５５】
次に、粘着剤１３０ａによって互いに貼着された宛先情報記載片１１０と隠蔽情報記載片１２０を、隠蔽情報記載片１２０の粘着剤１３０ｂが塗布された面が内側となるようにミシン目１１２，１２２を介して折り畳み、加圧することにより、隠蔽情報記載片１２０の往信部１２１ａと返信部１２１ｂとを貼着する。
【００５６】
このように隠蔽情報記載片１２０の往信部１２１ａと返信部１２１ｂとが貼着された状態で往復はがきが送付先に送付されることになる。
【００５７】
図１０は、図７〜図９に示した往復はがきの送付時の状態を示す図であり、（ａ）は宛先情報記載片１１０の往信部１１１ａ側から見た図、（ｂ）は宛先情報記載片１１０の返信部１１１ｂ側から見た図、（ｃ）は（ａ）に示したＡ−Ａ’断面図である。
【００５８】
上述した往復はがきは、送付先への送付時においては、隠蔽情報記載片２０の明細情報印字領域１２５が設けられた面が内側となるように宛先情報記載片１１０と隠蔽情報記載片１２０がミシン目１１２，１２２を介して折り畳まれ、隠蔽情報記載片１２０の往信部１２１ａと返信部１２１ｂとが貼着された状態となっている。
【００５９】
そのため、図１０（ａ）に示すように、往復はがきの一方の面側においては、宛先情報記載片１１０の往信部１１１ａのみが表出し、それにより、宛先情報記載片１１０の宛先情報印字領域１１３に印字された宛先情報１１３ａが外部から視認可能となっており、この宛先情報１１３ａに従って往復はがきが送付先に送付されることになる。この際、図１０（ｃ）に示すように、表出した宛先情報記載片１１０の往信部１１１ａと明細情報が印字された隠蔽情報記載片１２０との間に遮光印刷層１１６が介在しているため、宛先情報記載片１１０の往信部１１１ａ側から透かして見られた場合であっても、宛先情報記載片１１０の往信部１１１ａとは反対側、すなわち宛先情報記載片１１０の返信部１１１ｂ側からの光が遮光印刷層１１６によって遮られ、隠蔽情報記載片１２０の明細情報印字領域１２５に印字された明細情報が透かして見られてしまうことがない。また、宛先情報記載片１１０の宛先情報１１３ａが印字された面には、隠蔽情報記載片１２０の明細情報印字領域１２５に印字された明細情報が宛先情報記載片１１０及び隠蔽情報記載片１２０を透かして判読されてしまうことを不可能とするための地紋等が印刷されていないため、宛先情報１１３ａが見にくくなってしまうことがない。
【００６０】
また、図１０（ｂ）に示すように、往復はがきの他方の面側においては、宛先情報記載片１１０の返信部１１１ｂのみが表出する。この際、図１０（ｃ）に示すように、表出した宛先情報記載片１１０の返信部１１１ｂと明細情報が印字された隠蔽情報記載片１２０との間に遮光印刷層１１６が介在しているため、宛先情報記載片１１０の返信部１１１ｂ側から透かして見られた場合であっても、宛先情報記載片１１０の返信部１１１ｂとは反対側、すなわち宛先情報記載片１１０の往信部１１１ａ側からの光が遮光印刷層１１６によって遮られ、隠蔽情報記載片１２０の明細情報印字領域１２５に印字された明細情報が透かして見られてしまうことがない。
【００６１】
このように、図７〜図９に示した往復はがきにおいては、隠蔽情報記載片１２０の往信部１２１ａと返信部１２１ｂとが貼着された状態で送付されることにより、送付時においては、隠蔽情報記載片１２０の明細情報印字領域１２５に印字された明細情報が隠蔽され、さらに、明細情報印字領域１２５に印字された明細情報が遮光印刷層１１６によって挟まれた状態となっていることにより、この明細情報が透かして見られてしまうことがない。
【００６２】
送付先に届けられた往復はがきは、隠蔽情報記載片１２０の往信部１２１ａと返信部１２１ｂとが剥離されて見開かれることになる。
【００６３】
図１１は、図７〜図９に示した往復はがきが見開かれた状態における見開き面を示す図である。
【００６４】
上述した往復はがきが送付先に届けられると、隠蔽情報記載片１２０の往信部１２１ａと返信部１２１ｂとが剥離される。隠蔽情報記載片１２０の往信部１２１ａと返信部１２１ｂとを貼着している粘着剤１３０ｂは、上述したように貼着後の剥離が可能なものであるため、互いに貼着された往信部１２１ａと返信部１２１ｂとを剥離することができる。
【００６５】
すると、図１１に示すように、隠蔽情報記載片１２０の明細情報印字領域１２５に印字された明細情報１２５ａが視認可能となり、往復はがきの送付先において、明細情報１２５ａが確認されることになる。また、この際、隠蔽情報記載片１２０の返信部１２１ｂに印刷された返信先情報１２４が表出する。
【００６６】
その後、往復はがきが送付先から返信されることになる。
【００６７】
図１２は、図７〜図９に示した往復はがきの返信時の状態を示す図であり、（ａ）は隠蔽ラベル１１４が宛先情報記載片１１０の往信部１１１ａから分離される様子を示す図、（ｂ）は宛先情報記載片１１０の往信部１１１ａから分離された隠蔽ラベル１１４が宛先情報記載片１１０の返信部１１１ｂの返信情報記入領域１１５に貼着された状態を示す図、（ｃ）は（ｂ）に示したＡ−Ａ’断面図である。
【００６８】
往復はがきの送信先においては、届けられた往復はがきを返信する場合、まず、図１２（ａ）に示すように、返信部１１１ｂの返信情報記入領域１１５に往復はがきの送付元に通知する返信情報１１５ａを記入するとともに、隠蔽ラベル１１４を往信部１１１ａから分離する。宛先情報記載片１１０の往信部１１１ａは、隠蔽情報記載片１２０の往信部１２１ａに粘着剤１３０ａ及び剥離剤１４０によって剥離可能に貼着されているため、隠蔽ラベル１１４はスリット１１４ａによって宛先情報記載片１１０の往信部１１１ａから分離すると、隠蔽情報記載片１２０の往信部１２１ａから剥離することができる。またこの際、往信部１２１ａの明細情報印字領域１２５が設けられた面とは反対側の面に広告情報等が印字されている際、２つの往信部１１１ａ，１２１ａを互いに剥離すればその情報を見ることができる。
【００６９】
そして、往信部１１１ａ，１２１ａと返信部１１１ｂ，１２１ｂとをミシン目１１２，１２２によって切り離し、図１２（ｂ）に示すように、往信部１１１ａ，１２１ａから分離した隠蔽ラベル１１４を、返信部１１１ｂの返信情報記入領域１１５に貼着する。宛先情報記載片１１０の隠蔽情報記載片１２０との貼着面には粘着剤１３０ａが塗布されているため、この粘着剤１３０ａによって隠蔽ラベル１１４を返信部１１１ｂの返信情報記入領域１１５に貼着することができる。
【００７０】
返信情報記入領域１１５に隠蔽ラベル１１４が貼着されると、返信情報記入領域１１５に記入された返信情報１１５ａが隠蔽ラベル１１４によって隠蔽され、その状態で返信部返信部１１１ｂ，１２１ｂが、返信部１２１ｂに記載された返信先情報１２４に従って返信されることになる。この際、図１２（ｃ）に示すように、返信情報１１５ａが記入された返信部１１１ｂは遮光印刷層１１６に挟まれた状態となっているため、返信部１１１ｂ，１２１ｂを隠蔽ラベル１１４側あるいは返信部１２１ｂから透かして見られた場合であっても、返信部１１１ｂの返信情報記入領域１１５に記入された返信情報１１５ａが透かして見られてしまうことがない。
【００７１】
なお、本形態においては、隠蔽ラベル１１４をスリット１１４ａによって宛先情報記載片１１０から分離可能としているが、ミシン目によって分離可能な構成とすることも考えられる。その場合、宛先情報記載片１１０と隠蔽情報記載片１２０とを粘着剤１３０ａによって貼着する前にミシン目を形成して隠蔽ラベル１１４を宛先情報記載片１１０から分離可能なものとすることができる。
【００７２】
また、上述した２つの実施の形態においては、隠蔽構造として、遮光性の塗料が塗工されてなる遮光印刷層２３，１１６を用いたが、その代わりに地紋が印刷された地紋印刷層を用いることも考えられる。
【００７３】
また、宛先情報１３ａ，１１３ａや明細情報２５ａ，１２５ａが印字によって宛先情報印字領域１３，１１３や明細情報印字領域２５，１２５に付与されているが、記入によって付与される構成であってもよい。
【００７４】
また、遮光印刷層２３，１１６は、隠蔽情報記載片２０あるいは宛先情報記載片１１０の一方の面の周囲を除く全面に設けられているが、隠蔽情報記載片２０あるいは宛先情報記載片１１０の一方の面の全面に設けた構成としてもよい。ただし、遮光印刷層２３，１１６を、隠蔽情報記載片２０あるいは宛先情報記載片１１０の一方の面の周囲を除く全面に設けた方が、隠蔽情報記載片２０あるいは宛先情報記載片１１０の一方の面の周囲においては、宛先情報記載片１０，１１０と隠蔽情報記載片２０，１２０とが粘着剤３０ａを介して直接貼着されることになり、宛先情報記載片１０，１１０と隠蔽情報記載片２０，１２０との貼着力を高めることができる。
【００７５】
また、隠蔽情報記載片２０，１２０の折り畳み状態内側となる面に、圧力により自己のみが貼着可能な自己貼着性を有する粘着剤３０ｂ，１３０ｂを塗布することにより、隠蔽情報記載片２０，１２０の往信部２１ａ，１２１ａと返信部２１ｂ，１２１ｂとを剥離可能に貼着する構成としているが、互いに剥離可能に貼着された２層のフィルム層を有する擬似接着構造を隠蔽情報記載片２０，１２０の往信部２１ａ，１２１ａと返信部２１ｂ，１２１ｂのうちいずれか一方に設けたり、粘着力が弱いことにより貼着後の剥離が可能となる粘着剤を塗布したり、隠蔽情報記載片２０，１２０の往信部２１ａ，１２１ａと返信部２１ｂ，１２１ｂのうちいずれか一方にニス等の剥離剤を塗布したりすることにより、剥離可能な接着構造を設けてもよい。ただし、返信部２１ｂに対する宛先ラベル１４の貼着や、返信部２１ｂ，１２１ｂの返信処理の妨げとならないような構成とする必要がある。
【００７６】
また、上述した２つの実施の形態においては、宛先情報記載片１０，１１０に１つのラベルが分離可能に区画形成されているが、複数のラベルが区画形成されていてもよい。例えば、宛先情報記載片１０，１１０に、第１の実施の形態にて示した宛先ラベル１４と第２の実施の形態に示した隠蔽ラベル１１４との２つのラベルを設けること等が考えられる。
【００７７】
また、上述した２つの実施の形態においては、宛先情報記載片１０，１１０の第１紙片部となる往信部１１ａ，１１１ａに分離領域となる宛名ラベル１４あるいは隠蔽ラベル１１４が区画形成されているが、宛先情報記載片１０，１１０の第２紙片部となる返信部１１ｂ，１１１ｂに分離領域を区画形成することも考えられる。その場合、隠蔽情報記載片２０，１２０の返信部２１ｂ，１２１ｂの宛先情報記載片１０，１１０との貼着面に剥離剤４０，１４０を塗布しておき、宛先情報記載片１０，１１０の返信部１１ｂ，１１１ｂが隠蔽情報記載片２０，１２０の返信部２１ｂ，１２１ｂと剥離可能に貼着された構成とする必要がある。
【００７８】
また、上述した２つの実施の形態においては、本発明の隠蔽シートとして往復はがきを例に挙げて説明したが、上述したように、シートの両面から透かして見られた場合に、シートに付与された隠蔽情報を隠蔽構造によって判読不可能とするものであれば本発明はこれに限らない。
【図面の簡単な説明】
【００７９】
【図１】本発明の隠蔽シートの第１の実施の形態となる往復はがきを示す図であり、（ａ）は積層構造を示す図、（ｂ）は（ａ）に示したＡ−Ａ’断面図である。
【図２】図１に示した宛先情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図３】図１に示した隠蔽情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図４】図１〜図３に示した往復はがきの送付時の状態を示す図であり、（ａ）は宛先情報記載片の往信部側から見た図、（ｂ）は宛先情報記載片の返信部側から見た図、（ｃ）は（ａ）に示したＡ−Ａ’断面図である。
【図５】図１〜図３に示した往復はがきが見開かれた状態における見開き面を示す図である。
【図６】図１〜図３に示した往復はがきの返信時の状態を示す図であり、（ａ）は宛名ラベルが宛先情報記載片から分離される様子を示す図、（ｂ）は宛先情報記載片から分離された宛先ラベルが隠蔽情報記載片の宛名ラベル貼着領域に貼着された状態を示す図である。
【図７】本発明の隠蔽シートの第２の実施の形態となる往復はがきを示す図であり、（ａ）は積層構造を示す図、（ｂ）は（ａ）に示したＡ−Ａ’断面図である。
【図８】図７に示した宛先情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図９】図７に示した隠蔽情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図１０】図７〜図９に示した往復はがきの送付時の状態を示す図であり、（ａ）は宛先情報記載片の往信部側から見た図、（ｂ）は宛先情報記載片の返信部側から見た図、（ｃ）は（ａ）に示したＡ−Ａ’断面図である。
【図１１】図７〜図９に示した往復はがきが見開かれた状態における見開き面を示す図である。
【図１２】図７〜図９に示した往復はがきの返信時の状態を示す図であり、（ａ）は隠蔽ラベルが宛先情報記載片の往信部から分離される様子を示す図、（ｂ）は宛先情報記載片の往信部から分離された隠蔽ラベルが宛先情報記載片の返信部の返信情報記入領域に貼着された状態を示す図、（ｃ）は（ｂ）に示したＡ−Ａ’断面図である。
【符号の説明】
【００８０】
１０，１１０    宛先情報記載片
１１ａ，２１ａ，１１１ａ，１２１ａ    往信部
１１ｂ，２１ｂ，１１１ｂ，１２１ｂ    返信部
１２，２２，１１２，１２２    ミシン目
１３，１１３    宛先情報印字領域
１４    宛名ラベル
１４ａ，１１４ａ    スリット
１５，１１５    返信情報記入領域
１５ａ，１１５ａ    返信情報
２０，１２０    隠蔽情報記載片
２３，１１６    遮光印刷層
２４    宛名ラベル貼着領域
２５，１２５    明細情報印字領域
２５ａ，１２５ａ    明細情報
３０ａ，３０ｂ，１３０ａ，１３０ｂ    粘着剤
４０，１４０    剥離剤
１１４    隠蔽ラベル
１２４    返信先情報
【図１】
2008055682.tif 000003
【図２】
2008055682.tif 000004
【図３】
2008055682.tif 000005
【図４】
2008055682.tif 000006
【図５】
2008055682.tif 000007
【図６】
2008055682.tif 000008
【図７】
2008055682.tif 000009
【図８】
2008055682.tif 000010
【図９】
2008055682.tif 000011
【図１０】
2008055682.tif 000012
【図１１】
2008055682.tif 000013
【図１２】
2008055682.tif 000014